(57)【要約】【課題】装置本体からオプション装置に電源を供給する場合に、装置本体側に大容量の電源を装備することなくオプション装置の制御を行うことができる画像記録装置等を提供する。【解決手段】画像記録装置から電源供給を受ける給紙及び排紙を行うオプション給紙及び排紙装置において、給紙及び排紙装置の接続を検出する手段と、給紙及び排紙装置を制御する手段を設け、給紙及び排紙装置の接続状態或いは動作状態によって各オプション装置への電力供給を制御する。また、オプション給紙装置の動作時には排紙装置の制御を不可状態にする、或いは排紙装置の動作時には給紙装置の制御を不可状態にする。また、紙を給紙動作開始位置までリフトアップさせるリフタ機構を備えたオプション給紙装置と、プリント動作中か否かを判断する手段とを備えて、プリント動作中か否かでリフトアップ動作速度を変化させる。また、使用環境に応じて給紙装置から順番にリフトアップ制御を行う。【選択図】　　　　図４
2004009401.tif 000002
【特許請求の範囲】
【請求項１】
オプション装置を接続して情報処理を行うと共に、該オプション装置に対して電力供給を行う情報処理装置において、
前記オプション装置の当該情報処理装置への接続を検出する接続検出手段と、
前記オプション装置の動作を制御するオプション制御手段と、
前記オプション装置の接続状態或いは動作状態に基づいて、前記オプション装置への電力供給を制御する電力供給制御手段とを有することを特徴とする情報処理装置。
【請求項２】
オプション給紙装置及びオプション排紙装置を接続して、該オプション給紙装置から給紙された用紙に画像を記録し、記録後の用紙を前記オプション排紙装置へ排紙する手段を有し、前記オプション給紙装置及び前記オプション排紙装置に対して電力供給を行う画像記録装置において、
前記オプション給紙装置及び前記オプション排紙装置の当該画像記録装置への接続を検出する接続検出手段と、
前記オプション給紙装置及び前記オプション排紙装置の動作を制御する制御手段と、
前記オプション給紙装置及び前記オプション排紙装置の接続状態或いは動作状態に基づいて、前記オプション給紙装置及び前記オプション排紙装置への電力供給を制御する電力供給制御手段とを有することを特徴とする画像記録装置。
【請求項３】
前記電力供給制御手段は、前記オプション給紙装置の動作時に前記オプション排紙装置への電力供給を不可状態にし、前記オプション排紙装置の動作時に前記オプション給紙装置への電力供給を不可状態にすることを特徴とする請求項２記載の画像記録装置。
【請求項４】
前記オプション給紙装置は、用紙を給紙動作開始位置までリフトアップさせるリフタ機構を有する構成とし、
画像記録動作中か否かを判断する検知手段と、
前記検知手段の検知結果に基づいて、前記リフタ機構のリフトアップ動作速度を変化させる手段とを設けたことを特徴とする請求項２または３記載の画像記録装置。
【請求項５】
前記リフタ機構を有する前記オプション給紙装置を複数接続し、
使用環境に応じて、前記各オプション給紙装置のリフトアップ動作の順序を制御する手段を設けたことを特徴とする請求項４記載の画像記録装置。
【請求項６】
オプション装置を接続して情報処理を行うと共に、該オプション装置に対して電力供給を行う情報処理装置の制御方法において、
前記オプション装置の当該情報処理装置への接続を検出する接続検出行程と、
前記オプション装置の動作を制御するオプション制御行程と、
前記オプション装置の接続状態或いは動作状態に基づいて、前記オプション装置への電力供給を制御する電力供給制御行程とを有することを特徴とする情報処理装置の制御方法。
【請求項７】
オプション給紙装置及びオプション排紙装置を接続して、該オプション給紙装置から給紙された用紙に画像を記録し、記録後の用紙を前記オプション排紙装置へ排紙する行程を有し、前記オプション給紙装置及び前記オプション排紙装置に対して電力供給を行う画像記録装置において、
前記オプション給紙装置及び前記オプション排紙装置の当該画像記録装置への接続を検出する接続検出行程と、
前記オプション給紙装置及び前記オプション排紙装置の動作を制御する制御行程と、
前記オプション給紙装置及び前記オプション排紙装置の接続状態或いは動作状態に基づいて、前記オプション給紙装置及び前記オプション排紙装置への電力供給を制御する電力供給制御行程とを有することを特徴とする画像記録装置の制御方法。
【請求項８】
前記電力供給制御行程は、前記オプション給紙装置の動作時に前記オプション排紙装置への電力供給を不可状態にし、前記オプション排紙装置の動作時に前記オプション給紙装置への電力供給を不可状態にすることを特徴とする請求項７記載の画像記録装置の制御方法。
【請求項９】
前記オプション給紙装置は、用紙を給紙動作開始位置までリフトアップさせるリフタ機構を有する構成とし、
画像記録動作中か否かを判断する検知行程と、
前記検知行程の検知結果に基づいて、前記リフタ機構のリフトアップ動作速度を変化させる行程とを実行することを特徴とする請求項７または８記載の画像記録装置の制御方法。
【請求項１０】
前記リフタ機構を有する前記オプション給紙装置を前記画像記録装置に複数接続する構成において、使用環境に応じて、前記各オプション給紙装置のリフトアップ動作の順序を制御することを特徴とする請求項９記載の画像記録装置の制御方法。
【請求項１１】
オプション装置を接続して情報処理を行うと共に、該オプション装置に対して電力供給を行う情報処理装置の制御方法を実行するための制御プログラムであって、
前記オプション装置の当該情報処理装置への接続を検出する接続検出ステップと、
前記オプション装置の動作を制御するオプション制御ステップと、
前記オプション装置の接続状態或いは動作状態に基づいて、前記オプション装置への電力供給を制御する電力供給制御ステップとを有することを特徴とする制御プログラム。
【請求項１２】
オプション給紙装置及びオプション排紙装置を接続して、該オプション給紙装置から給紙された用紙に画像を記録し、記録後の用紙を前記オプション排紙装置へ排紙するステップを有し、前記オプション給紙装置及び前記オプション排紙装置に対して電力供給を行う画像記録装置の制御方法を実行するための制御プログラムであって、
前記オプション給紙装置及び前記オプション排紙装置の当該画像記録装置への接続を検出する接続検出ステップと、
前記オプション給紙装置及び前記オプション排紙装置の動作を制御する制御ステップと、
前記オプション給紙装置及び前記オプション排紙装置の接続状態或いは動作状態に基づいて、前記オプション給紙装置及び前記オプション排紙装置への電力供給を制御する電力供給制御ステップとを有することを特徴とする制御プログラム。
【請求項１３】
前記電力供給制御ステップは、前記オプション給紙装置の動作時に前記オプション排紙装置への電力供給を不可状態にし、前記オプション排紙装置の動作時に前記オプション給紙装置への電力供給を不可状態にすることを特徴とする請求項１２記載の制御プログラム。
【請求項１４】
前記オプション給紙装置として、用紙を給紙動作開始位置までリフトアップさせるリフタ機構を有する構成において、
画像記録動作中か否かを判断する検知ステップと、
前記検知ステップの検知結果に基づいて、前記リフタ機構のリフトアップ動作速度を変化させるステップとを備えたことを特徴とする請求項１２または１３記載の制御プログラム。
【請求項１５】
前記リフタ機構を有する前記オプション給紙装置を前記画像記録装置に複数接続する構成において、使用環境に応じて、前記各オプション給紙装置のリフトアップ動作の順序を制御する内容を有することを特徴とする請求項１４記載の制御プログラム。
【発明の詳細な説明】
【０００１】
【発明の属する技術分野】
本発明は、オプション装置が接続される情報処理装置及び画像記録装置等に関する。
【０００２】
【従来の技術】
従来、電子写真プロセスを用いて用紙に画像を記録するプリンタ等の画像記録装置に対し、オプション給紙装置及びオプション排紙装置を接続して、画像記録装置側でこれらオプション装置を制御することが行われている。画像記録装置では、オプション給紙装置から給紙された用紙に画像を記録してオプション排紙装置へ排紙し、オプション排紙装置では、排紙された記録後の用紙に対してステープルを行ったりソートを行ったりする。
【０００３】
そして、画像記録装置では、接続しうる全てのオプション装置の電源供給を行っており、電源容量もオプション装置分を加えた容量を備えていた。
【０００４】
【発明が解決しようとする課題】
上記従来の画像記録装置では、画像記録装置本体側からオプション装置側へ電源供給を行うために、接続しうる全てのオプション装置の電源容量を加味した電源を画像記録装置本体内に設けておく必要があり、オプション装置を装着しないユーザにとってはオーバースペックの電源が装備されていることになり、省電力やコスト等の面で問題となっていた。
【０００５】
本発明は上記従来の問題点に鑑み、装置本体からオプション装置に電源を供給する場合に、装置本体側に大容量の電源を装備することなくオプション装置の制御を行うことができる情報処理装置及び画像記録装置等を提供することを目的とする。
【０００６】
【課題を解決するための手段】
上記目的を達成するために、本発明の情報処理装置では、オプション装置を接続して情報処理を行うと共に、該オプション装置に対して電力供給を行う情報処理装置において、前記オプション装置の当該情報処理装置への接続を検出する接続検出手段と、前記オプション装置の動作を制御するオプション制御手段と、前記オプション装置の接続状態或いは動作状態に基づいて、前記オプション装置への電力供給を制御する電力供給制御手段とを有することを特徴とする。
【０００７】
本発明の画像記録装置では、オプション給紙装置及びオプション排紙装置を接続して、該オプション給紙装置から給紙された用紙に画像を記録し、記録後の用紙を前記オプション排紙装置へ排紙する手段を有し、前記オプション給紙装置及び前記オプション排紙装置に対して電力供給を行う画像記録装置において、前記オプション給紙装置及び前記オプション排紙装置の当該画像記録装置への接続を検出する接続検出手段と、前記オプション給紙装置及び前記オプション排紙装置の動作を制御する制御手段と、前記オプション給紙装置及び前記オプション排紙装置の接続状態或いは動作状態に基づいて、前記オプション給紙装置及び前記オプション排紙装置への電力供給を制御する電力供給制御手段とを有することを特徴とする。
【０００８】
本発明の情報処理装置の制御方法では、オプション装置を接続して情報処理を行うと共に、該オプション装置に対して電力供給を行う情報処理装置の制御方法において、前記オプション装置の当該情報処理装置への接続を検出する接続検出行程と、前記オプション装置の動作を制御するオプション制御行程と、前記オプション装置の接続状態或いは動作状態に基づいて、前記オプション装置への電力供給を制御する電力供給制御行程とを有することを特徴とする。
【０００９】
本発明の画像記録装置の制御方法では、オプション給紙装置及びオプション排紙装置を接続して、該オプション給紙装置から給紙された用紙に画像を記録し、記録後の用紙を前記オプション排紙装置へ排紙する行程を有し、前記オプション給紙装置及び前記オプション排紙装置に対して電力供給を行う画像記録装置において、前記オプション給紙装置及び前記オプション排紙装置の当該画像記録装置への接続を検出する接続検出行程と、前記オプション給紙装置及び前記オプション排紙装置の動作を制御する制御行程と、前記オプション給紙装置及び前記オプション排紙装置の接続状態或いは動作状態に基づいて、前記オプション給紙装置及び前記オプション排紙装置への電力供給を制御する電力供給制御行程とを有することを特徴とする。
【００１０】
本発明の制御プログラムでは、オプション装置を接続して情報処理を行うと共に、該オプション装置に対して電力供給を行う情報処理装置の制御方法を実行するための制御プログラムであって、前記オプション装置の当該情報処理装置への接続を検出する接続検出ステップと、前記オプション装置の動作を制御するオプション制御ステップと、前記オプション装置の接続状態或いは動作状態に基づいて、前記オプション装置への電力供給を制御する電力供給制御ステップとを有することを特徴とする。
【００１１】
本発明の制御プログラムでは、オプション給紙装置及びオプション排紙装置を接続して、該オプション給紙装置から給紙された用紙に画像を記録し、記録後の用紙を前記オプション排紙装置へ排紙するステップを有し、前記オプション給紙装置及び前記オプション排紙装置に対して電力供給を行う画像記録装置の制御方法を実行するための制御プログラムであって、前記オプション給紙装置及び前記オプション排紙装置の当該画像記録装置への接続を検出する接続検出ステップと、前記オプション給紙装置及び前記オプション排紙装置の動作を制御する制御ステップと、前記オプション給紙装置及び前記オプション排紙装置の接続状態或いは動作状態に基づいて、前記オプション給紙装置及び前記オプション排紙装置への電力供給を制御する電力供給制御ステップとを有することを特徴とする。
【００１２】
【発明の実施の形態】
以下、本発明の実施の形態を図面に基づいて説明する。
【００１３】
［第一実施形態］
＜第一実施形態の画像記録装置とオプション装置の概略構成＞
図１は、本発明の第一実施形態に係る画像記録装置とこれに装着されたオプション装置の概略構成を示すブロック図である。
【００１４】
同図において、１はプリンタ等の画像記録装置（以下、単にプリンタと記す）、２はプリンタ１へ紙を給紙するオプション給紙装置（以下は給紙デッキと記す）、３はプリンタ１から排紙された紙をステープルするステープル装置（オプション排紙装置）、４はホストコンピュータである。
【００１５】
プリンタ１内には、プリンタ動作の制御を司るプリンタコントローラ１０と、ホストコンピュータ４とプリンタ１との通信を行うためのビデオコントローラ１１と、給紙デッキ２、ステープル装置３並びにプリンタ１の電源を供給する電源ユニット１２とが備えられている。
【００１６】
ビデオコントローラ１１は、ホストコンピュータ４からの指示によりプリンタコントローラ１０内のＣＰＵ１０ａに対してプリント指示を行い、この指示に対してプリンタコントローラ１０は所定のプリント動作のための制御を行う。
【００１７】
電源ユニット１２はプリンタ１とステープル装置３を同時に稼動できる電力容量を有し、これらの電源はＣＰＵ１０ａの指示によりスイッチ回路１０ｂ、１０ｃを介して個々にオン／オフすることができる。
【００１８】
一方、給紙デッキ２内には、給紙カセット２８と、プリンタコントローラ１０からの制御信号によって給紙デッキ２の制御を行うＣＰＵ２０ａを含んだデッキコントローラ２０と、ＣＰＵ２０ａの指示により給紙を行う給紙モータ２１と、紙ピックアップ用の給紙ローラ２３及びソレノイド２４とが設けられており、給紙モータ２１を駆動し且つソレノイド２４をオンすることによって、給紙モータ２１の駆動が給紙ローラ２３に伝達されて紙のピックアップを行う。
【００１９】
さらに、ピックアップされた紙の搬送を行うために搬送ローラ２６が設けられ、このローラ２６は給紙モータ２１の駆動を直接受けて回転する。また、給紙カセット２８の開閉を検知する開閉スイッチ２７が設けられている。開閉スイッチ２７は、給紙カセット２８を開けて紙を積載した後に閉めたとき、紙面センサ２５の位置（給紙可能な位置）まで紙を上げるためにリフタモータ２２を駆動させるためのスイッチである。
【００２０】
ステープル装置３は、プリンタコントローラ１０からの制御信号によってステープル動作の制御を行うＣＰＵ３０ａを有するステープルコントローラ３０と、このステープルコントローラ３０からの指示によってステープル動作を行うステープラユニット３１とを備え、ステープラユニット３１内のステープラモータ３２を駆動させることで排紙後の紙をステープルすることができる。
【００２１】
また、プリンタコントローラ１０は、それぞれのオプション装置２，３との通信により、どのオプション装置が接続されているかを検知する接続状態検知や通紙状態検知のほか、各オプション装置２，３の制御を行っている。さらに、ビデオコントローラ１１内には、ホストコンピュータ４からの情報を蓄えるＲＡＭ１１ａが備えられ、紙サイズ毎のプリント枚数などの給紙情報や紙サイズ情報、使用枚数等の情報を蓄えることができる。
【００２２】
＜スイッチ回路１０ｂ、１０ｃの詳細＞
図２は、各オプション装置の電源をオン／オフするスイッチ回路１０ｂ、１０ｃの回路構成を示す回路図である。
【００２３】
同図において、スイッチ回路１０ｂは、給紙デッキ２の電源をオン／オフするためのトランジスタ１０５を有し、このトランジスタ１０５のコレクタに電源Ｖａ、コレクタ−ベース間に抵抗１０３、ベースにツェナーダイオード１０４がそれぞれ接続されている。このツェナーダイオード１０４によって給紙デッキ２に供給する電圧値が決められている。さらに、トランジスタ１０５のエミッタは給紙デッキ２の電源として接続されている。
【００２４】
また、トランジスタ１０５のベースはデジタルトランジスタ１０２のコレクタに接続され、このトランジスタ１０２のエミッタはＧＮＤへ接続され、ベースはＣＰＵ１０ａの出力ポートＰ０に接続されている。この出力ポートＰ０をハイレベルにすることで給紙デッキ２の電源をオフにし、ロウレベルにすることによって電源をオンにする。
【００２５】
一方、スイッチ回路１０ｃも、スイッチ回路１０ｂと同様の回路構成であり、デジタルトランジスタ２０２、抵抗２０３、ツェナーダイオード２０４、及びトランジスタ２０５で構成されている。すなわち、トランジスタ２０５のエミッタがステープル装置３の電源として接続され、ツェナーダイオード２０４によってステープル装置３の電圧が決められる。また、トランジスタ２０２のベースはＣＰＵ１０ａの出力ポートＰ１に接続され、この出力ポートＰ１をハイレベルにすることでのステープル装置３の電源をオフにし、ロウレベルにすることによって電源をオンにする。
【００２６】
なお、上記スイッチ回路１０ｂ、１０ｃではツェナーダイオード１０４，２０４によって電圧を決めているが、電源Ｖａを直接スイッチすることも可能である。
【００２７】
＜第一実施形態の動作＞
図３及び図４は、第一実施形態の動作を示すフローチャートである。
【００２８】
まずプリンタ１の電源がオンになると（ステップＳ１）、給紙デッキ２が接続されているかを確認し（ステップＳ２）、未接続であれば、さらにステープル装置３が接続されているかを確認し（ステップＳ５）、接続されていればステープル装置３の電源をオンする（ステップＳ６）。そして、ステープル装置３のみ接続されていると判断してプリント指示を待つ（ステップＳ１１）。一方、ステップＳ５でステープル装置３が接続されていなければ、オプション装置未接続と判断してプリント指示を待つ（ステップＳ１１）。
【００２９】
ステップＳ２で給紙デッキ２が接続されていれば給紙デッキ２の電源をオンし（ステップＳ３）、紙面センサ２５による紙の有／無を判断し（ステップＳ４）、紙無しならリフタモータ２２を駆動し（ステップＳ７）、さらに紙面センサ２５による紙の有／無を判断し（ステップＳ８）、紙有りならリフタモータ２２を停止し（ステップＳ９）、ステップＳ４へ戻る。
【００３０】
ステップＳ４で紙有りと判断した時には、ステープル装置３が接続しているかを判断し（ステップＳ１０）、未接続ならプリント指示を待つ（ステップＳ１１）。ステップＳ１０でステープル装置３が接続されていると判断されれば、給紙デッキ２、ステープル装置３が共に接続されていると判断して、図４のステップＳ１３へ進んでプリント指示があるかを判断する。
【００３１】
プリント指示があれば給紙デッキ２からの給紙指示があるか否かを判断し（ステップＳ１４）、そうであれば給紙モータ２１を駆動し（ステップＳ１５）、ソレノイド２４をオンし（ステップＳ１６）、給紙枚数が終了したかを判断する（ステップＳ１７）。
【００３２】
給紙枚数が終了すればソレノイド２４を停止し（ステップＳ１８）、給紙モータ２１を停止し（ステップＳ１９）、プリンタ１内の所定のプリント動作を行い（ステップＳ２０）、ステープル指示があるかどうか判断し（ステップＳ２２）、ステープル指示がなければステップＳ１３へ戻る。ステープル指示があれば給紙デッキ２の電源をオフし（ステップＳ２３）、ステープル装置３の電源をオンし（ステップＳ２４）、ステープル動作を開始する（ステップＳ２５）。そして、ステープルが終了したかを判断し（ステップＳ２６）、終了すれば給紙デッキ２の電源をオンして（ステップＳ２７）、ステップＳ１３へ戻る。
【００３３】
また、ステップＳ１４で給紙デッキ２からの指示がなければ、プリンタ１の給紙デッキ２からの給紙動作を行い（ステップＳ２１）、ステップＳ２０へ進む。
【００３４】
このように本実施形態では、給紙デッキ２から給紙動作を行う場合はステープル装置３の電源をオフし、ステープル装置３でステープル動作を行うときには給紙デッキ２の電源をオフすることで、プリンタ電源の許容電力の低減を図ることができる。
【００３５】
［第二実施形態］
第二実施形態では、上記第一実施形態の構成において、プリンタ動作中であるか否かにより給紙デッキ２のリフタモータの制御を変えるように構成し、これによって電力の低減を図るものである。
【００３６】
＜リフタモータ駆動回路及び紙面センサ回路の構成＞
図５は、本発明の第二実施形態に係る画像記録装置において、プリンタコントローラ１０に設けられたリフタモータ駆動回路及び紙面センサ２５の回路図である。なお、本実施形態では、電圧を印加することにより駆動するＤＣモータを例に説明する。
【００３７】
同図において、３０２はリフタモータ２２を駆動するためのトランジスタであり、このベースは電流制限抵抗３０１を介してＣＰＵ１０ａの出力ポートＰ２に接続されている。またトランジスタ３０２のエミッタはＧＮＤに接続され、コレクタは逆起電力防止用ダイオード３０３のアノードに、カソードは一方が電源Ｖｂにもう一方はリフタモータ２２にそれぞれ接続されている。トランジスタ３０２のコレクタのもう一方は、抵抗３０５に接続されると共に、コンデンサ３０４を介してリフタモータ２２のもう一方に接続されている。なお、コンデンサ３０４と抵抗３０５は積分回路の構成になっている。
【００３８】
紙面センサ２５はフォトインタラプタであり、このフォトインタラプタは、ダイオード２５ａと、フォトトランジスタ２５ｂで構成され、ダイオード２５ａのカソードはＧＮＤに、アノードは制限抵抗３０９を介して電源Ｖｃにそれぞれ接続されている。フォトトランジスタ２５ｂ側は、エミッタがＧＮＤに接続され、コレクタは二手に分かれてその一方は制限抵抗３０７を介して電源Ｖｃに、もう一方は制限抵抗３０６を介してＣＰＵ１０ａのポートＰ３にそれぞれ接続されている。この紙面センサ２５は、フォトインタラプタをメカ的に遮光及び透過させることでセンサの状態を検知する機能を有し、遮光の場合はハイレベルが、また透過の場合はロウレベルがＣＰＵ１０ａに入力される。なお、本実施形態では紙有り状態を透過であるロウレベルとする。
【００３９】
＜リフタモータ駆動シーケンス＞
図６（ａ），（ｂ）は、本実施形態のリフタモータ駆動シーケンスを示す波形図であり、同図（ａ）はスタンバイ中の波形であり、同図（ｂ）はプリント中の波形図である。
【００４０】
紙面センサ２５が紙無しつまりハイレベルを検知した場合には、リフタモータ２２をリフトアップする制御を行う。スタンバイ中にハイレベルを検知した場合には、図６（ａ）に示すように出力ポートＰ２から一定のハイレベル信号を出力させてＶｂ電圧をリフタモータ２２に印加し、リフタモータ２２を駆動する。また、紙面センサ２５が紙有りつまりロウレベルを検知したときには、出力ポートＰ２からロウレベル信号を出力させてリフタモータ２２を停止する。
【００４１】
プリント中にハイレベルを検知した場合には、図６（ｂ）に示すように出力ポートＰ２からオン／オフのＤｕｔｙをもたせたＰＷＭ信号を出力させる。また、コンデンサ３０４と抵抗３０５の積分回路によってＰＷＭ信号を積分した値（Ｖｂより小さい電圧）をリフタモータ２２に印加して、モータ２２を駆動する。このようにＶｂより電圧を下げることで電力を下げることができる。また、紙面センサ２５が紙有りつまりロウレベルを検知したときには出力ポートＰ２からロウレベル信号を出力してモータ２２を停止する。またこのＰＷＭのＤｕｔｙは可変制御できる。
【００４２】
＜第二実施形態の動作＞
図７は、第二実施形態の動作を示すフローチャートである。
【００４３】
まず、紙面センサ２５が紙無しであるか、つまりハイレベルが出力ポートＰ３に入力されているかを判断し（ステップＳ１１）、紙有りであればステップＳ１１を繰り返し、紙無しであればスタンバイ中がどうかを判断する（ステップＳ１２）。
【００４４】
スタンバイ中であれば一定電圧でリフタモータ２２の駆動を行い（ステップＳ１３）、紙面センサ２５が紙有りつまりロウレベルが出力ポートＰ３に入力されているかを判断し（ステップＳ１４）、紙有りであればリフタモータ２２の駆動を停止する（ステップＳ１５）。
【００４５】
ステップＳ１２でスタンバイ動作中でなくプリント動作中と判断されれば、ＰＷＭ制御によりリフタモータ２２の駆動を行い（ステップＳ１６）、ステップＳ１４へ進む。
【００４６】
このように本実施形態では、プリント中にはＰＷＭ制御でリフタモータの駆動を行うようにしたので、プリント中での電力の低減が可能になる。
【００４７】
［第三実施形態］
第三実施形態は、上記第一実施形態の構成において複数のオプション給紙装置を備える形態であり、各オプション給紙装置のリフタを同時に動作させずに、使用環境に応じて順にリフタを上げることで、電力の低減を図るものである。
【００４８】
＜第三実施形態の画像記録装置とオプション装置の概略構成＞
図８、本発明の第三実施形態に係る画像記録装置とこれに装着されたオプション装置の概略構成を示すブロック図である。
【００４９】
同図に示すように、上記第一実施形態の構成において二台のオプション給紙装置、つまり給紙デッキ２，５を備える形態である。給紙デッキ５内には給紙カセット４８と、プリンタコントローラ１０からの制御信号によって給紙デッキ５の制御を行うＣＰ４０ａを含んだデッキコントローラ４０と、ＣＰＵ４０ａの指示により給紙を行う給紙モータ４１と、紙のピックアップ用の給紙ローラ４３及びソレノイド４４とが設けられており、給紙モータ４１を駆動してかつソレノイド４４をオンすることによって給紙モータ４１の駆動が給紙ローラ４３に伝達されて紙のピックアップを行う。さらに、ピックアップされた紙の搬送を行うために搬送ローラ４６が設けられており、このローラ４６は給紙モータ４１の駆動を直接受けて回転する。また、給紙カセット４８の開閉を検知する開閉スイッチ４７が設けられており、給紙カセット４８を開けて紙を積載し、閉めたときには紙面センサ４５の位置（給紙可能な位置）まで紙を上げるためにリフタモータ４２を駆動させる。
【００５０】
ビデオコントローラ１１は、給紙デッキ２及び給紙デッキ５の給紙情報や、枚数、紙サイズ情報等の給紙に関する情報を蓄えている。ビデオコントローラ１１内ＲＡＭ１１ａの内容の一例を図９に示す。同図に示すように、ＲＡＭ１１ａには、給紙デッキ２，５毎のプリント枚数の合計値Ｘ，Ｙや、使用サイズ毎のプリント枚数Ａ〜Ｃ，Ｄ〜Ｆ等の情報を蓄えておくことができる。
【００５１】
＜第三実施形態の動作＞
図１０は、第三実施形態の動作を示すフローチャートである。
【００５２】
まず、給紙デッキ２，５が同時に閉められたかどうかを判断し（ステップＳ２１）、同時に閉められたならば各給紙デッキ２，５の使用枚数（プリント枚数）Ｘ，Ｙを比較し（ステップＳ２２）、Ｘ＞Ｙかどうかを判断する（ステップＳ２３）。そうであれば、初めに給紙デッキ２を紙面センサ２５が紙有りになるまでリフトアップして（ステップＳ３０，ステップＳ３１）、リフタモータ２２を停止する（ステップＳ３２）。続いて、給紙デッキ５を紙面センサ４５が紙有りになるまでリフトアップして（ステップＳ３３，ステップＳ３４）、リフタモータ４２を停止し（ステップＳ３５）、ステップＳ２１へ戻る。
【００５３】
ステップＳ２３の判断でＸ≦Ｙならば、まず給紙デッキ５を紙面センサ４５が紙有りになるまでリフトアップして（ステップＳ２４，ステップＳ２５）、リフタモータを停止する（ステップＳ２６）。続いて、給紙デッキ２を紙面センサ４５が紙有りになるまでリフトアップして（ステップＳ２７，ステップＳ２８）、リフタモータを停止させ（ステップＳ２９）、ステップＳ２１へ戻る。
【００５４】
一方、ステップＳ２１で給紙デッキ２，５が同時に閉められていないと判断された場合には、給紙デッキ２が開けられた状態から閉められたかどうかを判断する（ステップＳ３６）。そうであれば、給紙デッキ２を紙面センサ２５が紙有りになるまでリフトアップして（ステップＳ３７，ステップＳ３８）、リフタモータ２２を停止する（ステップＳ３９）。
【００５５】
その後、給紙デッキ５が開けられた状態から閉められたかどうかを判断し（ステップＳ４０）、そうでなければステップＳ２１へ戻り、そうであれば給紙デッキ５を紙面センサ４５が紙有りになるまでリフトアップして（ステップＳ４１，ステップＳ４２）、リフタモータ４２を停止させ（ステップＳ４３）、ステップＳ２１へ戻る。
【００５６】
また、ステップＳ３６で給紙デッキ２が開けられた状態から閉められていなければステップＳ４０へ進む。
【００５７】
このように制御を行うことで同時リフトアップをなくし、電力の低減を図ることができる。
【００５８】
なお、本実施形態では、使用枚数を例にとって説明したが、オプション給紙装置の積載容量等、その他の使用環境によってリフトアップの動作順を決めることも可能である。
【００５９】
なお、上述した図３、図４、図７、及び図１０のフローチャートに従ったプログラムをＣＰＵ１０ａ内の記憶装置に格納し動作することにより、上述の制御方法を実現させることが可能となる。
【００６０】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステム或いは装置に供給し、そのシステム或いは装置のコンピュータ（またはＣＰＵやＭＰＵ）が記憶媒体に格納されたプログラムコードを読み出し実行することによっても、完成されることは言うまでもない。
【００６１】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００６２】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００６３】
【発明の効果】
以上説明したように本発明によれば、オプション装置に対する制御を省電力で行うことができ、装置本体からオプション装置に電源を供給する場合に、装置本体側に大容量の電源を装備することなくオプション装置の制御を行うことが可能になる。
【図面の簡単な説明】
【図１】本発明の第一実施形態に係る画像記録装置とこれに装着されたオプション装置の概略構成を示すブロック図である。
【図２】各オプション装置の電源をオン／オフするスイッチ回路の回路構成を示す回路図である。
【図３】第一実施形態の動作を示すフローチャートである。
【図４】図３の続きのフローチャートである。
【図５】本発明の第二実施形態に係るリフタモータ駆動回路及び紙面センサの回路を示す回路図である。
【図６】第二実施形態に係るリフタモータ駆動シーケンスを示す波形図である。
【図７】第二実施形態の動作を示すフローチャートである。
【図８】本発明の第三実施形態に係る画像記録装置とこれに装着されたオプション装置の概略構成を示すブロック図である。
【図９】ビデオコントローラ内ＲＡＭの内容の一例を示す図である。
【図１０】第三実施形態の動作を示すフローチャートである。
【符号の説明】
１　プリンタ
２，４　給紙デッキ
３　ステープラユニット
１０　プリンタコントローラ
１０ａ　ＣＰＵ
２０，４０　デッキコントローラ
２２，４２　リフタモータ
２８，４８　給紙カセット
【図１】
2004009401.tif 000003
【図２】
2004009401.tif 000004
【図３】
2004009401.tif 000005
【図４】
2004009401.tif 000006
【図５】
2004009401.tif 000007
【図６】
2004009401.tif 000008
【図７】
2004009401.tif 000009
【図８】
2004009401.tif 000010
【図９】
2004009401.tif 000011
【図１０】
2004009401.tif 000012